(57)【特許請求の範囲】
【請求項１】
セパレータ、型枠支持用コーン、軸足及び型枠締付杆によって固定されるコンクリート型枠を用いて打設成型されたコンクリート壁の壁面に仕上げ材を施すようにしたコンクリート壁施工方法において、前記型枠支持用コーンのコーン本体は、これが埋設されるコンクリート壁の壁面側外径よりもその反対の奥端側外径が径大に形成された截頭円錐形状のものからなり、しかしてコンクリート型枠を撤去し、コンクリート壁に埋設されている各コーンのねじ孔から軸足を取り外した後のねじ孔を利用して、これらのねじ孔に、頭部にロープ通し部片を突設したねじ具をねじ込み、それらのねじ具のロープ通し部片に安全ロープを通し入れて張架し、この安全ロープに作業者の命綱を連結して壁仕上げ作業を行い、前記ねじ孔には、前記ねじ具を取り外した後に壁仕上げ用のモルタルを詰め込むことを特徴とするコンクリート壁施工方法。
【請求項２】
前記ねじ具としてアイボルトを使用することを特徴とする請求項１に記載のコンクリート壁施工方法。
【発明の詳細な説明】
【０００１】
【発明の属する技術分野】
本発明は、コンクリート壁を成型すると共にその壁面に仕上げ材を施すようにしたコンクリート壁施工方法に関し、更に詳しくはセパレータ、型枠支持用コーン、軸足及び型枠締付杆によって固定されるコンクリート型枠を用いて打設成型されたコンクリート壁の壁面にモルタル壁等の仕上げ材を施すようにしたコンクリート壁施工方法に関する。
【０００２】
【従来の技術】
上記のようなコンクリート型枠によって成型されるコンクリート壁の壁面にモルタル壁更にはタイル等の仕上げ材を施す場合、作業者が図５に示すような作業台、あるいは足場等を使用して壁仕上げ作業を行うが、高所作業となるため危険を伴うことがある。
【０００３】
【発明が解決しようとする課題】
本発明は、コンクリート壁面に対する仕上げ作業を行う際の作業の安全を確保し得る方法を提供することを目的とする。
【０００４】
【課題を解決するための手段】
請求項１に係る発明は、セパレータ２、型枠支持用コーン３、軸足４及び型枠締付杆５によって固定されるコンクリート型枠６を用いて打設成型されたコンクリート壁１の壁面１ａに仕上げ材を施すようにしたコンクリート壁施工方法において、前記型枠支持用コーン３のコーン本体３ａは、これが埋設されるコンクリート壁１の壁面１ａ側外径よりもその反対の奥端側外径が径大に形成された截頭円錐形状のものからなり、しかしてコンクリート型枠６を撤去し、コンクリート壁１に埋設されている各コーン３のねじ孔８から軸足４を取り外した後のねじ孔８を利用して、これらのねじ孔８に、頭部にロープ通し部片９を突設したねじ具１０をねじ込み、それらのねじ具１０のロープ通し部片９に安全ロープ１１を通し入れて張架し、この安全ロープ１１に作業者の命綱１２を連結して壁仕上げ作業を行い、前記ねじ孔８には、前記ねじ具１０を取り外した後に壁仕上げ用のモルタル１６を詰め込むことを特徴とする。
【０００５】
請求項２は、請求項１に記載のコンクリート壁施工方法において、前記ねじ具１０としてアイボルトを使用することを特徴とする。
【０００６】
【発明の実施の形態】
先ず、図１に示すように、コンクリート壁構造物１は、それぞれ所要数のセパレータ２、型枠支持用コーン３、軸足４及び型枠締付杆５によって固定さる両側一対のコンクリート型枠６（片方の型枠のみを示す）間に、生コンクリートを流し込むことによって成型される。
【０００７】
この場合、型枠６の固定にあたっては、セパレータ２のねじ端部２ａを、型枠支持用コーン３のコーン本体３ａ中心部に一体に埋設されたねじ筒部３ｂの内端側ねじ孔７に螺着し、このねじ筒部３ｂの外端側ねじ孔８にはコンクリート型枠６を貫通する軸足４の内端側ねじ軸部４ａを螺着する。そして、コンクリート型枠６の外側に突出した軸足４の外端側ねじ軸部４ｂに型枠締付杆５を螺着し、この型枠締付杆５を締め込むことによって、型枠６を定位置に固定する。
【０００８】
型枠支持用コーン３のコーン本体３ａは、モルタルにアクリル系樹脂エマルジョンを混和させたものを高圧にて截頭円錐形状に加圧成型したもので、高密度にして且つ高強度である上、打設コンクリートとの馴染みが良い。また、コーン本体３ａに埋設されるねじ筒部３ｂの内部には仕切壁３ｃが一体形成されていて、内外端側ねじ孔７，８間を閉塞し、内端側ねじ孔７から外部へのコンクリート液等の液体の漏出、あるいは外端側ねじ孔８から内部への雨水等の侵入を阻止するようになっている。
【０００９】
上記のようにコンクリート型枠６にコンクリートを打設して成型されたコンクリート壁構造物１が硬化したならば、各型枠締付杆５を取り外してコンクリート型枠６を撤去し、そして各軸足４を各型枠支持用コーン３のねじ筒部３ｂから取り外し、図２の（Ａ）に示すような状態とする。
【００１０】
その後、このコンクリート壁構造物１の壁面１ａにタイル下地としてのモルタルを塗付するが、このモルタル塗布作業に先立ち、各型枠支持用コーン３のねじ筒部３ｂから軸足４を取り外した後の空洞となった外端側ねじ孔８を利用して、これらのねじ孔８に、頭部にリング状のロープ通し部片９を突設したねじ具１０をねじ込む。このねじ具１０は、一端部がリング状に、他端部がボルト状に形成されたアイボルトと同じ構造で、市販のアイボルトをそのまま使用することができる。尚、このようなアイボルト以外に、図２の（Ｂ）に示すように、ボルト１０′の頭部に一種の割リング（ロープ通し部片）９′を固着したようなもの等を使用することができる。
【００１１】
しかして、図３に示すように、それらのねじ具１０（アイボルト）のロープ通し部片９に安全ロープ１１を通し入れ、この安全ロープ１１に作業者Ｍの命綱１２を連結して、モルタル塗布作業、さらにはタイル貼り作業を行う。この場合、ねじ具１０は、図５に示すように水平一列状に並ぶように所要のねじ孔８を利用して取り付け、それらのロープ通し部片９に通した安全ロープ１１の両端部を、両端に位置するロープ通し部片９，９に結び付けるなどして止着することによって、安全ロープ１１を水平に張架する。
【００１２】
こうして張架した安全ロープ１１に、図５に示すように、例えば作業台１３上で作業する作業者Ｍの腰ベルト１４に一端部を取り付けた命綱１２の他端部をフック１５によって着脱可能に連結する。フック１５は、命綱１２に係止して閉じた状態でロックできるものを使用する。この安全ロープ１１に対するフック１５の掛止位置は、作業の進行に伴って適宜に移動させるとよい。このように、作業者Ｍが命綱１２を安全ロープ１１に連結することによって、モルタル塗布作業やタイル貼り作業中に誤って作業台１３から落ちるのを防止できる。
【００１３】
ある一定場所のモルタル塗布及びタイル貼り作業が終われば、一連のロープ通し部片９付きねじ具１０を型枠支持用コーン３の外端側ねじ孔８から取り外し、安全ロープ１１を抜き取って、別の作業場所における所要のコーン３の外端側ねじ孔８にねじ具１０をねじ込み、それらのねじ具１０に安全ロープ１１を通して張架し、この安全ロープ１１に前記同様作業者Ｍの命綱１２をフック１５によって連結すればよい。
【００１４】
ロープ通し部片９付きねじ具１０を取り外して空洞となったコーン３の外端側ねじ孔８内部には、図４に示すようにコンクリート壁構造物１の壁面１ａに塗布するモルタル１６を詰め込む。
【００１５】
こうして、空洞となったコーン３の外端側ねじ孔８内部をモルタル１６によって塞ぎながら、コンクリート壁構造物１の壁面１ａにモルタル１６を塗付してモルタル壁を形成し、このモルタル壁の上にタイル１７を貼り付ける。尚、タイル１７を貼らない場合は、仕上げ用のモルタルを壁面１ａに塗布して壁仕上げを行えばよい。また、コンクリート壁構造物壁面１ａにモルタル１６を塗付する際には、壁面１ａにその全面を覆うような網材を取り付け、この網材を介して壁面１ａにモルタル１６を塗付するとよい。
【００１６】
【発明の効果】
請求項１に係る発明によれば、セパレータ、コーン、軸足及び型枠締付杆により固定されるコンクリート型枠を用いて打設成型されたコンクリート壁の壁面に仕上げ材を施す際に、型枠を撤去し、コンクリート壁に埋設された各コーンのねじ孔から軸足を取り外した後のねじ孔を利用して、これらのねじ孔に、頭部にロープ通し部片を突設したねじ具をねじ込み、それらのねじ具のロープ通し部片に安全ロープを通し入れて張架し、この安全ロープに作業者の命綱を連結して仕上げ作業を行うようにすることによって、仕上げ作業を行う作業者は、作業の安全を確保することができる。
【００１７】
請求項２に記載のように、ねじ具としてアイボルトを使用すれば、ロープ通し部片がリング状であるから安全ロープを通し易く且つその取り外しが容易であり、また安く入手できるから、施工コストの低廉化を期することができる。
【図面の簡単な説明】
【図１】  コンクリート壁構造物からコンクリート型枠を撤去する前の状態を示す縦断面図である。
【図２】  （Ａ）はコンクリート型枠を撤去し且つ軸足を取り外した状態でコーンの外端側ねじ孔内部にロープ通し部片付きねじ具をねじ込もうとしている状態を示す縦断面図、（Ｂ）は他のタイプのねじ具を示す斜視図である。
【図３】  コーンの外端側ねじ孔内部にロープ通し部片付きねじ具をねじ込んだ状態を示す縦断面図である。
【図４】  ロープ通し部片付きねじ具を取り外して空洞となったコーンの外端側ねじ孔内部にモルタルを詰め込んだ状態を示す縦断面図である。
【図５】  命綱を安全ロープに連結してコンクリート壁面に対するモルタル塗布作業を行っている状態を示す斜視図である。
【符号の説明】
１          コンクリート壁構造物
１ａ        コンクリート壁構造物の壁面
２          セパレータ
３          型枠支持用コーン
３ａ        コーン本体
３ｂ        ねじ筒部
４          軸足
５          型枠締付杆
６          コンクリート型枠
７          ねじ筒部の内端側ねじ孔
８          ねじ筒部の外端側ねじ孔
９          ロープ通し部片
９′        ロープ通し部片
１０        ねじ具
１０′      ねじ具
１１        安全ロープ
１２        命綱
【図１】
0004132410.tif 000002
【図２】
0004132410.tif 000003
【図３】
0004132410.tif 000004
【図４】
0004132410.tif 000005
【図５】
0004132410.tif 000006